(57)【要約】【課題】使い切れずに尿素水タンクに残る尿素水の容量を少なくし、尿素水の補給作業の頻度を少なくして作業効率を向上する。【解決手段】尿素水タンク１６は、底面部１７Ａ、側面部１７Ｂ〜１７Ｅおよび天面部１７Ｆを有したタンク本体１７と、タンク本体１７の天面部１７Ｆから底面部１７Ａに向けて延び先端１９Ａの開口１９Ｂからタンク本体１７内の尿素水１８を吸込む吸込み管１９と、吸込み管１９に設けられ尿素水１８の品質を検出する品質センサ２１とを含んで構成されている。この上で、排気ガス浄化装置１１に供給する尿素水１８を貯える尿素水タンク１６のタンク本体１７内には、体積を拡大および縮小させる体積可変部材２２が設けられている。【選択図】図３
2020133555.tif 000002
【特許請求の範囲】
【請求項１】
自走が可能な本体と、前記本体に設けられたエンジンと、前記エンジンが排出した排気ガスを浄化する排気ガス浄化装置と、前記排気ガス浄化装置に供給する尿素水を貯える尿素水タンクとを備え、
前記尿素水タンクは、底面部、側面部および天面部を有したタンク本体と、前記タンク本体の前記天面部から前記底面部に向けて延び先端の開口から前記タンク本体内の尿素水を吸込む吸込み管と、前記吸込み管に設けられ尿素水の品質を検出する品質センサとを含んで構成されてなる建設機械において、
前記尿素水タンクの前記タンク本体内には、体積を拡大および縮小させる体積可変部材が設けられていることを特徴とする建設機械。
【請求項２】
前記体積可変部材は、前記タンク本体の前記底面部に接触する位置に設けられていることを特徴とする請求項１に記載の建設機械。
【請求項３】
前記体積可変部材は、空気圧縮機から圧縮空気が供給されることにより膨張して体積を拡大させ、圧縮空気を排出することにより収縮して体積を縮小させる密閉容器として形成されていることを特徴とする請求項１に記載の建設機械。
【請求項４】
前記体積可変部材は、２個設けられており、前記吸込み管は、２個の前記体積可変部材により挟まれていることを特徴とする請求項１に記載の建設機械。
【発明の詳細な説明】
【技術分野】
【０００１】
本発明は、例えば排気ガス浄化装置に供給する尿素水を貯える尿素水タンクを備えた油圧ショベル等の建設機械に関する。
【背景技術】
【０００２】
一般に、建設機械の代表例としての油圧ショベルは、自走が可能な本体と、本体に設けられたエンジンと、エンジンが排出した排気ガスを浄化する排気ガス浄化装置と、排気ガス浄化装置に供給する尿素水（尿素水溶液）を貯える尿素水タンクとを備えている。尿素水タンクは、底面部、側面部および天面部を有したタンク本体と、タンク本体の天面部から底面部に向けて延び先端の開口からタンク本体内の尿素水を吸込む吸込み管とを含んで構成されている（特許文献１）。吸込み管に吸込まれた尿素水は、管路を介して排気ガス浄化装置に供給される。また、尿素水タンクの吸込み管には、その先端側に位置して尿素水の品質（濃度等）を検出する品質センサが設けられている。
【０００３】
ここで、エンジンを始動すると、尿素水タンクでは、吸込み管の先端の開口からタンク本体内の尿素水が吸込まれ、この尿素水が排気ガス浄化装置に向けて供給される。このときに、品質センサは、吸込み管に吸込んだ尿素水の品質を検出することにより、劣化した尿素水が排気ガス浄化装置に供給されるのを防止している。
【先行技術文献】
【特許文献】
【０００４】
【特許文献１】特開２０１６−１５１１３３号公報
【発明の概要】
【発明が解決しようとする課題】
【０００５】
ところで、油圧ショベルが作業を行う現場は、坂や斜面が多く、常に傾いた状態で作業を行うこともある。この傾斜地での作業では、尿素水タンクも本体と同じ角度で傾いてしまう。傾斜地の作業でタンク本体内の尿素水の残量が少ない場合には、タンク本体内で尿素水が片寄り、吸込み管の先端が尿素水の液面より上側に配置されて尿素水を吸込めなくなることがある。このように、傾斜地の作業では、タンク本体内で尿素水が片寄ることで尿素水タンク内の尿素水を最後まで使い切ることができず、一定量の尿素水が無効な尿素水として残ってしまう。この尿素水の無効容量が大きいと、尿素水の補給作業の頻度が多くなり、作業効率が低下するという問題がある。
【０００６】
本発明は上述した従来技術の問題に鑑みなされたもので、本発明の目的は、使い切れずに尿素水タンクに残る尿素水の容量を少なくすることにより、尿素水の補給作業の頻度を少なくして作業効率を向上できるようにした建設機械を提供することにある。
【課題を解決するための手段】
【０００７】
本発明の建設機械は、自走が可能な本体と、前記本体に設けられたエンジンと、前記エンジンが排出した排気ガスを浄化する排気ガス浄化装置と、前記排気ガス浄化装置に供給する尿素水を貯える尿素水タンクとを備え、前記尿素水タンクは、底面部、側面部および天面部を有したタンク本体と、前記タンク本体の前記天面部から前記底面部に向けて延び先端の開口から前記タンク本体内の尿素水を吸込む吸込み管と、前記吸込み管に設けられ尿素水の品質を検出する品質センサとを含んで構成されてなる建設機械において、前記尿素水タンクの前記タンク本体内には、体積を拡大および縮小させる体積可変部材が設けられている。
【発明の効果】
【０００８】
本発明によれば、使い切れずに尿素水タンクに残る尿素水の容量を少なくすることにより、尿素水の補給作業の頻度を少なくでき、作業効率を向上することができる。
【図面の簡単な説明】
【０００９】
【図１】第１の実施の形態に適用される油圧ショベルを示す正面図である。
【図２】フロント装置と建屋カバーの一部を省略した上部旋回体を示す平面図である。
【図３】尿素水タンクと体積可変部材を図２中の矢示III−III方向から拡大して示す断面図である。
【図４】尿素水タンク、体積可変部材等を図３中の矢示IV−IV方向から示す断面図である。
【図５】体積可変部材が膨張した状態の尿素水タンクを示す断面図である。
【図６】図５の尿素水タンクを前上がり状態に傾けて示す断面図である。
【図７】第２の実施の形態による体積可変部材を尿素水タンク等と一緒に図４と同様位置から見た断面図である。
【発明を実施するための形態】
【００１０】
以下、本発明の実施の形態に係る建設機械の代表例として、クローラ式の油圧ショベルを例に挙げ、添付図面に従って詳細に説明する。
【００１１】
図１ないし図６は、本発明の第１の実施の形態を示している。建設機械としての油圧ショベル１は、前，後方向に自走が可能なクローラ式の下部走行体２と、下部走行体２上に旋回可能に搭載された上部旋回体３と、上部旋回体３の前側部位に設けられ、土砂の掘削作業等を行う多関節構造のフロント装置４とを含んで構成されている。この場合、下部走行体２と上部旋回体３は、油圧ショベル１の本体を構成している。
【００１２】
上部旋回体３は、後述の旋回フレーム５、カウンタウエイト６、キャブ７、エンジン８、排気ガス浄化装置１１、尿素水タンク１６、体積可変部材２２を含んで構成されている。
【００１３】
旋回フレーム５は、上部旋回体３の支持構造体を構成している。図２に示すように、旋回フレーム５は、前，後方向に延びる厚肉な底板５Ａと、底板５Ａ上に立設され、左，右方向に所定の間隔をもって前，後方向に延びた左縦板５Ｂ，右縦板５Ｃと、左，右方向の外側に位置して前，後方向に延びた左サイドフレーム（図示せず），右サイドフレーム５Ｄとを含んで構成されている。
【００１４】
カウンタウエイト６は、フロント装置４との重量バランスをとるために旋回フレーム５の後部に取付けられている。キャブ７は、旋回フレーム５の前部位置で左縦板５Ｂの左側に設けられている。キャブ７の内部には、運転席、走行用の操作レバー、作業用の操作レバー等（いずれも図示せず）が設けられている。
【００１５】
エンジン８は、カウンタウエイト６の前側に位置して旋回フレーム５上に左，右方向に延びる横置き状態で設けられている。エンジン８は、ディーゼルエンジンとして構成されている。エンジン８の左側には、熱交換装置１０に冷却風を供給するための冷却ファン８Ａが設けられている。一方、エンジン８の右側には、油圧ポンプ９が設けられている。さらに、エンジン８の排気側には、排気ガスを排出するための排気管８Ｂが設けられている。
【００１６】
油圧ポンプ９は、エンジン８の右側に設けられている。油圧ポンプ９は、エンジン８によって駆動されることにより、後述の作動油タンク１２から供給される作動油を圧油としてコントロールバルブ（図示せず）に向け供給する。
【００１７】
熱交換装置１０は、エンジン８の左側に冷却ファン８Ａに対面して配置され、旋回フレーム５上に設けられている。熱交換装置１０は、枠体内にラジエータ、オイルクーラ、インタクーラ等を備えている。
【００１８】
排気ガス浄化装置１１は、エンジン８の排気管８Ｂに接続して設けられ、エンジン８が排出した排気ガスを浄化する。排気ガス浄化装置１１は、排気ガス中の窒素酸化物（ＮＯｘ）を、液体還元剤となる尿素水（尿素水溶液）を用いて浄化するＮＯｘ浄化装置として形成されている。排気ガス浄化装置１１は、排気管８Ｂに接続された収容筒体１１Ａを有し、収容筒体１１Ａには、尿素選択還元触媒、酸化触媒、尿素水噴射弁（いずれも図示せず）が設けられている。尿素水噴射弁は、ポンプ、切換弁、コントローラ等からなる尿素水供給装置、供給管路、戻り管路（いずれも図示せず）を介して後述する尿素水タンク１６に接続されている。
【００１９】
ここで、排気ガス浄化装置１１は、尿素水噴射弁により排気ガス中に尿素水を噴射し、尿素選択還元触媒により尿素水から生成されたアンモニアを用いて排気ガス中のＮＯｘを還元反応させ、水と窒素に分解する。そして、酸化触媒によって排気ガス中のアンモニアを低減させる。
【００２０】
作動油タンク１２は、油圧ポンプ９の前側に位置して旋回フレーム５上に設けられている。作動油タンク１２は、作動油を貯える容器として形成されている。燃料タンク１３は、作動油タンク１２の前側に位置して旋回フレーム５上に設けられている。燃料タンク１３は、エンジン８に供給される燃料を貯える容器として形成されている。
【００２１】
図１に示すように、建屋カバー１４は、キャブ７とカウンタウエイト６との間に位置して旋回フレーム５上に設けられている。建屋カバー１４は、エンジン８、油圧ポンプ９、熱交換装置１０、排気ガス浄化装置１１を含む旋回フレーム５上の搭載機器を覆っている。
【００２２】
収容ケース１５は、燃料タンク１３の前側に位置して旋回フレーム５上に設けられている。収容ケース１５は、直方体状の容器として形成され、その内部には、後述の尿素水タンク１６が収容されている。
【００２３】
次に、本実施の形態による尿素水タンク１６の構成および機能について、添付図面に従って詳細に説明する。
【００２４】
図２に示すように、尿素水タンク１６は、旋回フレーム５の前部位置で右縦板５Ｃの右側に設けられている。尿素水タンク１６は、排気ガス浄化装置１１に供給する後述の尿素水１８を貯えている。尿素水タンク１６は、後述するタンク本体１７、吸込み管１９、品質センサ２１を含んで構成されている。なお、尿素水タンク１６は、旋回フレーム５の右前側以外にも、キャブ７内、キャブ７の後側の旋回フレーム５上（ユーティリティボックス内）等の他の場所に配設することができる。
【００２５】
タンク本体１７は、排気ガス浄化装置１１に供給する還元剤としての尿素水１８を貯えている。タンク本体１７は、内部が密閉空間となる略直方体状の容器として形成され、旋回フレーム５の左，右方向が長尺方向となるように配置されている。例えば、タンク本体１７は、樹脂材料を用いた成型加工によって形成されている。
【００２６】
図３、図４に示すように、タンク本体１７は、左，右方向に長尺な長方形状の底面部１７Ａと、底面部１７Ａの周辺（四辺）から上側に延びた側面部としての前側面部１７Ｂ、後側面部１７Ｃ、左側面部１７Ｄおよび右側面部１７Ｅと、底面部１７Ａと対面して各側面部１７Ｂ〜１７Ｅの上部を閉塞した天面部１７Ｆとを有している。例えば、天面部１７Ｆの前側位置は、前方に向けて下側に傾斜した斜面１７Ｆ１となり、この斜面１７Ｆ１には、着脱可能なキャップ１７Ｇ１で閉塞された給水口１７Ｇが設けられている。
【００２７】
天面部１７Ｆには、当該天面部１７Ｆを上側から見たときのほぼ中央位置に接続口１７Ｈが設けられ、接続口１７Ｈには、管体固定栓１７Ｊが挿嵌されている。この管体固定栓１７Ｊは、例えば、接続口１７Ｈ内に嵌る円柱状のゴム栓として形成されている。また、管体固定栓１７Ｊは、吸込み管１９、戻り管２０、ハーネス（図示せず）等を液密に挿通させつつ、これらを位置決めする機能を有している。さらに、天面部１７Ｆの後側位置には、後述する空気圧縮機２３が取付けられている。
【００２８】
ここで、タンク本体１７には、例えば、給水口１７Ｇのキャップ１７Ｇ１を取外したことを検出するセンサ（図示せず）が設けられている。このセンサは、キャップ１７Ｇ１を取外す動作を、尿素水の補給作業として検出する。また、タンク本体１７には、尿素水１８の液面１８Ａの位置を尿素水１８の残量として検出する液面センサ（図示せず）が設けられている。
【００２９】
タンク本体１７は、油圧ショベル１が平坦な場所に配置されている状態で、図３に示す水平状態となるように旋回フレーム５に取付けられている。このタンク本体１７の水平状態では、底面部１７Ａと尿素水１８の液面１８Ａとは平行となっている。
【００３０】
吸込み管１９は、タンク本体１７の天面部１７Ｆから底面部１７Ａに向けて延びて設けられている。具体的には、吸込み管１９は、タンク本体１７の管体固定栓１７Ｊを貫通して上，下方向に延びた管体として形成されている。吸込み管１９は、管体固定栓１７Ｊから外部に突出した上側部位が尿素水の供給管路（図示せず）を介して排気ガス浄化装置１１の尿素水供給装置（尿素水噴射弁）に接続されている。
【００３１】
また、吸込み管１９は、タンク本体１７内を下向きに延びた下側部位が底面部１７Ａに接近した位置でＬ字状に屈曲している。屈曲して底面部１７Ａと平行に延びた吸込み管１９の先端１９Ａには、タンク本体１７内の尿素水１８を吸込むための開口１９Ｂが設けられている。吸込み管１９の開口１９Ｂ（先端１９Ａ）は、タンク本体１７の底面部１７Ａから上側に離れた位置に配置され、底面部１７Ａに堆積した異物を吸込まないようになっている。
【００３２】
戻り管２０は、タンク本体１７の管体固定栓１７Ｊを貫通して上，下方向に延びた管体として形成されている。この戻り管２０は、尿素水の戻り管路（図示せず）を介して排気ガス浄化装置１１の尿素水供給装置に接続されている。
【００３３】
品質センサ２１は、吸込み管１９の先端１９Ａの内側に設けられている。品質センサ２１は、タンク本体１７内の尿素水１８の品質（濃度等）を検出するものである。品質センサ２１は、ハーネスを介して外部のコントローラ（いずれも図示せず）に接続されている。品質センサ２１は、吸込み管１９の先端１９Ａに設けることで、尿素水１８を排気ガス浄化装置１１側に供給できる状態（先端１９Ａが尿素水１８に浸っている状態）では、常に尿素水１８の品質を監視することができる。
【００３４】
次に、本実施の形態の特徴部分となる体積可変部材２２の構成および動作について、図３ないし図６を参照しつつ説明する。
【００３５】
体積可変部材２２は、尿素水タンク１６のタンク本体１７内に設けられている。体積可変部材２２は、タンク本体１７内の尿素水１８の残量が少なくなったときに、尿素水１８の液面１８Ａを高くする。体積可変部材２２は、タンク本体１７の底面部１７Ａに接触した位置で体積を拡大および縮小させる。体積可変部材２２は、後述の接続ホース２４を介して空気圧縮機２３に接続されている。なお、体積可変部材としては、タンク本体１７の底面部１７Ａに接近した位置、即ち、底面部１７Ａとの間に僅かな隙間を形成した状態で体積を拡大および縮小させる構成としてもよい。
【００３６】
体積可変部材２２は、空気圧縮機２３から圧縮空気が供給されることにより膨張して体積を拡大させる。一方、体積可変部材２２は、圧縮空気を排出することにより収縮して体積を縮小させる密閉容器として形成されている。
【００３７】
体積可変部材２２の前，後方向の長さ寸法は、タンク本体１７の後側面部１７Ｃに接近した位置から吸込み管１９に接近した位置までとなっている。また、体積可変部材２２の左，右方向の長さ寸法は、タンク本体１７の左側面部１７Ｄに接近した位置から右側面部１７Ｅに接近した位置までとなっている。これにより、図５に示すように、体積可変部材２２を膨張させた状態では、タンク本体１７内の尿素水１８の収容スペースのうち、吸込み管１９よりも後側に位置する収容スペースを無効にすることができる。
【００３８】
体積可変部材２２は、後側面部１７Ｃと吸込み管１９との間を左，右方向に延びて設けられた長方形状の下面板２２Ａと、下面板２２Ａと同様な長方形状をなして下面板２２Ａと上，下方向で対面した上面板２２Ｂと、下面板２２Ａの周辺と上面板２２Ｂの周辺（四辺）とを接続して設けられた蛇腹部２２Ｃとにより形成されている。
【００３９】
例えば、下面板２２Ａと上面板２２Ｂは、長方形の形状を保持する強度と、内部の空気が排出された状態で尿素水１８の圧力によって変形する柔軟性とを兼ね備えた樹脂材料を用いて形成されている。下面板２２Ａは、少なくとも周辺部分が底面部１７Ａに固着されている。これにより、体積可変部材２２の浮き上がりを抑制している。さらに、上面板２２Ｂには、接続ホース２４の下端が接続されている。
【００４０】
図３に示すように、タンク本体１７内に多くの尿素水１８が残存している状態（尿素水１８の液面１８Ａが高い状態）では、体積可変部材２２は、内部の空気をタンク本体１７の外部に排出することにより、蛇腹部２２Ｃを折り畳んで収縮し、全体の体積を縮小させる。これにより、タンク本体１７内に多くの尿素水１８を収容することができる。
【００４１】
一方、図５に示すように、タンク本体１７内の尿素水１８の残量が少なくなった状態（尿素水１８の液面１８Ａが低い状態）では、体積可変部材２２は、空気圧縮機２３から供給される圧縮空気によって蛇腹部２２Ｃを伸ばして膨張し、全体の体積を拡大させる。これにより、体積可変部材２２は、タンク本体１７内に残存する尿素水１８の液面１８Ａを高くすることができる。また、体積可変部材２２は、タンク本体１７内の後側の収容スペースを無効にしたことにより、図６に示すように、尿素水タンク１６が傾いた場合、タンク本体１７内の尿素水１８が後側に移動するのを制限することができる。従って、尿素水タンク１６が傾いた状態でも、吸込み管１９の開口１９Ｂを尿素水１８の中に配置することができるから、使い切れずに残る尿素水１８を少なくすることができる。
【００４２】
空気圧縮機２３は、タンク本体１７の天面部１７Ｆ上に設けられている。この空気圧縮機２３は、圧縮空気を吐出する圧縮機本体、圧縮機本体を駆動するモータ、体積可変部材２２への圧縮空気の供給と体積可変部材２２からの圧縮空気の排出とを切換える切換弁（いずれも図示せず）とを含んで構成されている。空気圧縮機２３には、接続ホース２４の上端が接続されている。接続ホース２４の下端は、体積可変部材２２の上面板２２Ｂに接続されている。
【００４３】
本実施の形態による油圧ショベル１は、上述の如き構成を有するもので、次に、その動作について説明する。
【００４４】
オペレータは、キャブ７に搭乗し、エンジン８を始動して油圧ポンプ９を駆動する。この状態で、オペレータは、キャブ７内に配置された走行用の操作レバーを操作することにより、油圧ショベル１を走行させることができる。また、作業用の操作レバーを操作することにより、フロント装置４等を動作させて土砂の掘削作業を行うことができる。
【００４５】
エンジン８の運転時に、エンジン８から排出される排気ガスは、排気管８Ｂおよび排気ガス浄化装置１１を通過して大気中に排出される。この場合、排気ガス浄化装置１１では、尿素水タンク１６から供給された尿素水を尿素水噴射弁により排気ガス中に噴射し、尿素選択還元触媒により尿素水から生成されたアンモニアを用いて排気ガス中のＮＯｘを還元反応させ、水と窒素に分解する。そして、酸化触媒よって排気ガス中のアンモニアを低減させることにより、十分に浄化された排気ガスを大気中に排出することができる。
【００４６】
ここで、油圧ショベル１が作業を行う現場は、坂や斜面が多く、常に傾いた状態で作業を行うことがある。傾斜地での作業では、尿素水タンク１６も油圧ショベル１の本体と同じ角度で傾いてしまう。このように傾いた作業姿勢では、タンク本体１７内の尿素水１８の残量が少ない場合、タンク本体１７内で尿素水１８が片寄り、吸込み管１９の先端１９Ａが尿素水１８の液面１８Ａより上側に配置されて尿素水１８を吸込めなくなってしまう。
【００４７】
然るに、本実施の形態では、排気ガス浄化装置１１に供給する尿素水１８を貯える尿素水タンク１６のタンク本体１７内には、体積を拡大および縮小させる体積可変部材２２が設けられている。また、体積可変部材２２は、タンク本体１７の底面部１７Ａに接触する位置に設けられている。
【００４８】
従って、タンク本体１７内の液面センサが、尿素水１８の残量が設定された残量よりも少なくなったことを検出すると、空気圧縮機２３を起動して体積可変部材２２に圧縮空気を供給する。圧縮空気が供給された体積可変部材２２は、蛇腹部２２Ｃを伸ばして膨張し、全体の体積を拡大させる。これにより、タンク本体１７内に残存する尿素水１８の液面１８Ａは、体積可変部材２２によって高くすることができる。
【００４９】
また、体積可変部材２２が体積を拡大させたことにより、本実施の形態ではタンク本体１７内の収容スペースのうち、後側の収容スペースを無効にすることができる。これにより、図６に示すように、尿素水タンク１６が傾いた場合、体積可変部材２２は、タンク本体１７内の尿素水１８が後側に移動するのを制限することができる。このように、尿素水タンク１６が傾いた状態でも、吸込み管１９の開口１９Ｂを尿素水１８の中に配置することができる。
【００５０】
この結果、タンク本体１７内に使い切れずに残る尿素水１８の量を少なくすることができる。これにより、尿素水１８の補給作業の頻度を少なくでき、作業効率を向上することができる。
【００５１】
一方、図３に示すように、タンク本体１７内に多くの尿素水１８が残存している状態では、体積可変部材２２は、内部の空気をタンク本体１７の外部に排出することにより、蛇腹部２２Ｃを折り畳んで体積を縮小させる。これにより、タンク本体１７内に多くの尿素水１８を収容することができる。
【００５２】
また、体積可変部材２２が膨張した状態で、タンク本体１７内に尿素水を補給する場合には、給水口１７Ｇからキャップ１７Ｇ１を取外す。このときに、タンク本体１７は、センサによってキャップ１７Ｇ１を取外す動作を検出することにより、尿素水の補給作業が行われることを予測する。従って、空気圧縮機２３は、切換弁を排気側に切換えることにより、体積可変部材２２内の空気を排出させて、体積可変部材２２を縮小させる。
【００５３】
体積可変部材２２は、空気圧縮機２３から圧縮空気が供給されることにより膨張して体積を拡大させ、圧縮空気を排出することにより収縮して体積を縮小させる密閉容器として形成されている。これにより、圧縮空気の出し入れだけで体積可変部材２２の体積を拡大、縮小させることができ、構成を簡略化することができる。
【００５４】
次に、図７は、本発明の第２の実施の形態を示している。本実施の形態の特徴は、体積可変部材は、２個設けられており、吸込み管は、２個の体積可変部材により挟まれていることにある。なお、本実施の形態では、前述した第１の実施の形態と同一の構成要素に同一の符号を付し、その説明を省略するものとする。
【００５５】
図７において、第２の実施の形態による体積可変部材３１は、左，右の位置に２個設けられている。これにより、吸込み管１９は、２個の体積可変部材３１により挟まれている。左，右の体積可変部材３１は、第１の実施の形態による体積可変部材２２と同様に、直方体状の蛇腹構造を持った密閉容器として構成されているため、蛇腹構造に関する説明は省略する。
【００５６】
左側の体積可変部材３１の前，後方向の長さ寸法は、タンク本体１７の前側面部１７Ｂに接近した位置から後側面部１７Ｃに接近した位置までとなっている。左側の体積可変部材３１の左，右方向の長さ寸法は、タンク本体１７の左側面部１７Ｄに接近した位置から吸込み管１９に接近した位置までとなっている。一方、右側の体積可変部材３１の前，後方向の長さ寸法は、タンク本体１７の前側面部１７Ｂに接近した位置から後側面部１７Ｃに接近した位置までとなっている。右側の体積可変部材３１の左，右方向の長さ寸法は、吸込み管１９に接近した位置からタンク本体１７の右側面部１７Ｅに接近した位置までとなっている。左，右の体積可変部材３１は、接続ホース３２を介して空気圧縮機２３に接続されている。
【００５７】
かくして、このように構成された第２の実施の形態においても、前述した第１の実施の形態と同様の作用および効果を得ることができる。特に、第２の実施の形態では、体積可変部材３１を、吸込み管１９を挟む左，右の位置に２個設けているから、各体積可変部材３１を膨張させたときの体積を大きくすることができ、タンク本体１７内に使い切れずに残る尿素水１８の量をより一層少なくすることができる。
【００５８】
なお、第１の実施の形態では、タンク本体１７内の後側位置に体積可変部材２２を配置した場合を例示し、第２の実施の形態では、タンク本体１７内の吸込み管１９を挟んだ左，右の位置に２個の体積可変部材３１を配置した場合を例示している。しかし、本発明はこれに限らず、例えば、体積可変部材を、タンク本体１７内の前側位置に配置する構成としてもよい。また、体積可変部材を、左，右のいずれか一方だけに配置する構成としてもよい。
【００５９】
第１の実施の形態では、体積可変部材２２は、蛇腹部２２Ｃを伸長、縮小させることにより、体積を拡大、縮小させる構成とした場合を例に挙げて説明した。しかし、本発明はこれに限るものではなく、例えば、体積可変部材として袋状の密閉容器を用いてもよい。この構成は、第２の実施の形態についても同様に適用することができる。
【００６０】
第１の実施の形態では、体積可変部材２２は、下面板２２Ａをタンク本体１７の底面部１７Ａに固着し、空気圧縮機２３からの圧縮空気を流入させることで上向きに膨張し、排出することで縮小する構成としている。しかし、本発明はこれに限らず、例えば、体積可変部材の上面板をタンク本体の天面部に固着し、空気圧縮機からの圧縮空気を流入させることで下向きに膨張させる構成としてもよい。また、アクチュエータを用いて体積可変部材を膨張、縮小させる構成としてもよい。これらの構成は、第２の実施の形態についても同様に適用することができる。
【００６１】
第１の実施の形態では、下部走行体２と上部旋回体３とにより本体を構成した場合を例に挙げて説明した。しかし、これに限らず、旋回体を有しない本体（例えば、前輪を有する前部本体と後輪を有する後部本体とを連結軸を介して屈曲可能に連結してなるアーティキュレート式の本体）としてもよい。この構成は、第２の実施の形態についても同様に適用することができる。
【００６２】
各実施の形態では、建設機械として、クローラ式の油圧ショベル１を例に挙げて説明した。しかし、これに限らず、例えば、ホイール式の油圧ショベル、油圧クレーン、ホイールローダ等、各種の建設機械に広く適用することができる。
【符号の説明】
【００６３】
１  油圧ショベル（建設機械）
２  下部走行体（本体）
３  上部旋回体（本体）
８  エンジン
１１  排気ガス浄化装置
１６  尿素水タンク
１７  タンク本体
１７Ａ  底面部
１７Ｂ  前側面部（側面部）
１７Ｃ  後側面部（側面部）
１７Ｄ  左側面部（側面部）
１７Ｅ  右側面部（側面部）
１７Ｆ  天面部
１８  尿素水
１９  吸込み管
２１  品質センサ
２２，３１  体積可変部材
２３  空気圧縮機
【図１】
2020133555.tif 000003
【図２】
2020133555.tif 000004
【図３】
2020133555.tif 000005
【図４】
2020133555.tif 000006
【図５】
2020133555.tif 000007
【図６】
2020133555.tif 000008
【図７】
2020133555.tif 000009